(57)【要約】【課題】食材を期限を越えて食し、食中毒等の影響を無くすこと。【解決手段】食材の賞味期限をタグ書き込み手段により電子タグ３に書き込む。そして、電子タグのついた食材を収納庫に入れるため入り口に持っていく。その時、制御手段はタグ読み出し手段により電子タグに書かれている情報を読み取る。制御手段は、表示手段に賞味期限を表示する。冷蔵庫に入れられた食材の賞味期限を管理しているので食材の無駄がなくなたり、賞味期限を越えた食材を食べることがなく、食材による中毒等の危険もなく安全である。【選択図】　図１
2004144357.tif 000002
【特許請求の範囲】
【請求項１】
食材を入れる収納庫と、食材につけられたタグであって、前記タグに電気的な情報を読み出すタグ読み出し手段と、前記タグに書き込まれた情報を判断する制御手段と、食材の賞味期限を表示する表示手段とを備える食材管理装置。
【請求項２】
制御手段は、カレンダー機能手段を有した請求項１に記載の食材管理装置。
【請求項３】
タグ読み出し手段は、食材を入れる収納庫の出入り口近傍に設置した請求項１に記載の食材管理装置。
【請求項４】
食材の賞味期限をタグ書き込み手段でタグに書き込む請求項１に記載の食材管理装置。
【請求項５】
タグは、タグ番号等の目視で識別可能な表示とした請求項１に記載の食材管理装置。
【請求項６】
表示手段は、収納庫内の食材につけられたタグ番号を食材の賞味期限順に並べて表示する請求項１に記載の食材管理装置。
【請求項７】
食材購入時に既にタグには食材の品名が記入された食品を収容する請求項１に記載の食材管理装置。
【請求項８】
制御手段は、インターネット接続手段に接続され収納庫内の食材の品名や賞味期限の情報をインターネットに送信し受信する請求項１に記載の食材管理装置。
【発明の詳細な説明】
【０００１】
【発明の属する技術分野】
本発明は家庭用の食材を管理する食材管理装置に関するものである。
【０００２】
【従来の技術】
従来、購入した食材をそのまま冷蔵庫に入れていた。賞味期限を管理する装置としては（例えば、特許文献１および２参照）があったが、制度や使い勝手の利便に欠ける物であった。
【０００３】
【特許文献１】
特開平１０−２０１４３１号公報
【特許文献２】
特開２００２−６３３４２号公報
【０００４】
【発明が解決しようとする課題】
しかしながら、前記従来の構成では、食材をそのまま冷蔵庫に入れるので食材が重なり、つい、奧に置かれた食材はそのまま忘れてしまい賞味期限を過ぎてしまい捨てたり、賞味期限が切れているにもかかわらず、知らずに食材を使用するという課題を有していた。
【０００５】
本発明は、前記従来の課題を解決するもので、冷蔵庫に入れられた食材が賞味期限を過ぎて捨てたり、賞味期限を越えた食材を使用することがないことを目的とした食材管理装置を提供することを目的とする。
【０００６】
【課題を解決するための手段】
前記従来の課題を解決するために、本発明の食材管理装置は、食材を入れる収納庫と、食材につけられたタグと、そのタグに電気的な情報を書き込むタグ書き込み手段と、そのタグに電気的な情報を読み出すタグ読み出し手段と、判断手段に接続された予め決められた情報を記憶する記憶手段と、タグに書き込まれた情報を予め決められた情報と比較し判断する制御手段と、食材の賞味期限を表示する表示手段とから構成されている。
【０００７】
これによって、食品を保管庫に入れる際に、まず食材の賞味期限をタグ書き込み手段によりタグに書き込む。タグのついた食材を収納庫に入れるため入り口に持っていく。その時、制御手段はタグ読み出し手段によりタグに書かれている情報を読み取る。そして、制御手段は、表示手段に賞味期限を表示する。
【０００８】
【発明の実施の形態】
請求項１に記載の発明は、食材につけられたタグと、そのタグに電気的な情報を書き込むタグ書き込み手段と、そのタグに電気的な情報を読み出すタグ読み出し手段と、判断手段に接続された予め決められた情報を記憶する記憶手段と、タグに書き込まれた情報を予め決められた情報と比較し判断する制御手段と、食材の賞味期限を表示する表示手段とすることにより、まず、食材１の賞味期限を図示していないタグ書き込み手段により電子タグ３に書き込む。そして電子タグのついた食材を収納庫に入れるため入り口に持っていく。その時、制御手段はタグ読み出し手段により電子タグに書かれている情報を読み取る。制御手段は、表示手段に賞味期限を表示することで自動的に賞味期限が管理され、手を煩わすこと無く管理できるので使用者は、冷蔵庫に入れられた食材が賞味期限を過ぎて捨てるなどの食材の無駄がなくなったり、賞味期限を過ぎた食材を食べることがなくなり、食材の中毒等の危険もなく安全である。
【０００９】
請求項２に記載の発明は、特に、請求項１に記載の記憶手段をカレンダー機能とすることにより、現在の年月日と、上記食材の賞味期限を比較し、賞味期限を過ぎている場合、制御手段５は表示手段６に賞味期限が過ぎている事を表示することができる。食材に予め記載された賞味年月を、カレンダ−機能により識別することができ、賞味期限を越えた食材を食べることがないので、食材による中毒等の危険もなく安全である。
【００１０】
請求項３に記載の発明は、タグ読み出し手段を、食材を入れる収納庫の出入り口に設置することにより、食材１が収納庫の出入り口を通過するときに自動的に食材１の賞味期限を読みとることが出来る。食材を収納庫に食材を出し入れするときに、タグにデータを読み書き出来、タグのついた食材をタグ読み出し手段にわざわざ持ってゆく必要がないという効果がある。
【００１１】
請求項４に記載の発明は、食材の賞味期限をタグ書き込み手段でタグに書き込むことにより、賞味期限が予め記入されていない生野菜の様な食材も、自分で賞味期限を設定し、賞味期限を管理することができる。生野菜につけたタグに賞味期限を書き込む事により、賞味期限が予め記入されていない食材も、自分で賞味期限を設定する事が出来る。
【００１２】
請求項５に記載の発明は、タグにタグ番号等の目視で識別可能な表示をすることにより、タグ読み出し手段で、食材の電子タグのタグ番号と賞味期限を読み出して知り、かつ食材のタグ番号が目視できるので、表示手段６表示された賞味期限と食材とが目視で識別することができる。タグ番号が認識出来るので食材の期限とタグ番号の対応でき、黙視で食材の賞味期限をに認識することができる。
【００１３】
請求項６に記載の発明は、収納庫内の食材につけられたタグ番号を食材の賞味期限順に並べて表示することにより、賞味期限が迫っている食材の順番を知ることが出来、その順番に食材を使えば、賞味期限をすぎて食材を廃棄するという無駄がなくなる。表示手段は収納庫内の食材につけられたタグ番号を食材の賞味期限順に並べて表示することにより、賞味期限が迫っている食材の順番を知ることが出来、その順番に食材を使えば、賞味期限をすぎて食材を廃棄するという無駄がなくなる。
【００１４】
請求項７に記載の発明は、食材購入時に、既にタグには食材の品名が記入することにより、食材の品名と賞味期限が対応するので、収納庫内の食材を見ればすぐ賞味期限がわかるという効果がある。食材の品名と賞味期限が対応するので、収納庫内の食材を見ればすぐ賞味期限がわかるという効果がある。
【００１５】
請求項８に記載の発明は、制御手段を、インターネット接続手段に接続し、収納庫内の食材の品名や賞味期限の情報をインターネットに送受することにより、収納庫内の食材の品名や賞味期限を知り、不足の食材が即時にわかり、買い物等が便利である。収納庫内の食材の品名や賞味期限の情報をインターネットに送信し、インターネットから収納庫を開けて中の食材を確認することなく、収納庫内の食材の品名や賞味期限を知り、不足の食材が即時にわかり、買い物等が便利である。
【００１６】
【実施例】
以下本発明の実施例について、図面を参照しながら説明する。
【００１７】
（実施例１）
図１は、本発明の第１の実施例における食材管理装置のブロック図を示すものである。
【００１８】
図１において、１は食材、２は食材を収納する収納庫である。３は食材２に付加された電子情報を記憶する電子タグである。４は前記タグから電気的な情報を読み出すタグ読み出し手段、５はタグ読み出し手段に接続された制御手段、６は制御手段５により、食材の賞味期限を表示する表示手段である。
【００１９】
以上のように構成された食材管理装置について、以下その動作、作用を説明する。
【００２０】
食材購入時に既にタグには賞味期限が記入されてなる電子タグ３のついた食材１を収納庫２の入れるため入り口に持っていく。その時、制御手段５はタグ読み出し手段４により、電子タグ３に書かれている情報を読み取る。そして制御手段５は、表示手段６に賞味期限を表示する。
【００２１】
以上のように、本実施例においては、食材１の賞味期限を、タグ読み出し手段４で電子タグ３の賞味期限を読み出して知り、制御手段５で賞味期限を表示手段で表示する。
【００２２】
（実施例２）
図２は、本発明の第２の実施例の食材管理装置のブロック図である。
【００２３】
図２において、７は記憶手段で、実施例１の構成と異なるところは記憶手段７を設けた点である。記憶手段７は制御手段５に接続されている。他の構成は同じなので省略する。
【００２４】
以上のように構成された食材管理装置について、以下その動作、作用を説明する。
【００２５】
電子タグ３のついた食材１を収納庫２の入れるため入り口に持っていく。その時、制御手段５はタグ読み出し手段４により、電子タグ３に書かれている賞味期限を読み取る。
【００２６】
制御手段５は、記憶手段７のカレンダー機能により現在の年月日と、上記食材１の賞味期限を比較し、賞味期限を過ぎている場合、制御手段５は表示手段６に賞味期限が過ぎている事を表示する。
【００２７】
以上のように、本実施例においては、食材１の賞味期限をタグ読み出し手段４で電子タグ３の賞味期限を知り、制御手段５は、記憶手段７のカレンダー機能により現在の年月日を比較して食材１の賞味期限が過ぎているかどうかを知り、表示手段６で表示する事ができる。
【００２８】
また、タグ読み出し手段４は、食材を入れる収納庫２の出入り口に設置しているので、食材１が収納庫の出入り口を通過するときに自動的に食材１の賞味期限を読みとることが出来る。また、収納庫２の中に入ったままかどうかも制御手段５は認識できる。
【００２９】
（実施例３）
図３は、本発明の第３の実施例の食材管理装置のブロック図である。　図３において、５はタグ書き込み手段で制御手段５に接続されている。　実施例１の構成と異なるところはタグ書き込み手段８を設けた点である。以下、実施例１と同じである。
【００３０】
以上のように構成された食材管理装置について、以下その動作、作用を説明する。生野菜のような食材１の場合、タグ書き込み手段８により制御手段５から賞味期限を電子タグ３に書き込み、電子タグ３を食材１につける。電子タグ３のついた食材１を収納庫２の入れるため入り口に持っていく。その時、制御手段５はタグ読み出し手段４により電子タグ３に書かれている賞味期限を読み取る。制御手段５は、表示手段６に賞味期限を表示する。
【００３１】
以上のように、本実施例においては、生野菜につけたタグに賞味期限を書き込む事により、賞味期限が予め記入されていない食材も、自分で賞味期限を設定する事が出来る。
【００３２】
（実施例４）
図３は、本発明の第３の実施例の食材管理装置のブロック図である。図３において、９はタグ番号でタグ３と一緒になっている。タグ３には黙視できるタグ番号も記されている。実施例１の構成と異なるところはタグにタグ番号９を設けた点である。以下は、実施例１と同じである。
【００３３】
以上のように構成された食材管理装置について、以下その動作、作用を説明する。食材購入時に既にタグにはタグ番号と賞味期限が記入されて、かつ黙示できるタグ番号９が書かれた電子タグ３のついた食材１を収納庫２の入れるため入り口に持っていく。その時、制御手段５はタグ読み出し手段４により、電子タグ３に書かれているタグ番号と賞味期限を読み取る。そして制御手段５は、表示手段６にタグ番号と賞味期限を表示する。
【００３４】
以上のように、本実施例においては、タグ読み出し手段４で、食材１の電子タグ３のタグ番号と賞味期限を読み出して知り、かつタグ番号が目視できるので、表示手段６表示された賞味期限と食材とが目視で識別可能である。
【００３５】
また、表示手段６は収納庫内の食材につけられたタグ番号を食材の賞味期限順に並べて表示することにより、賞味期限が迫っている食材の順番を知ることが出来、その順番に食材を使えば、賞味期限をすぎて食材を廃棄するという無駄がなくなる。
【００３６】
また、タグ番号の代わりに食材の名前を使えば、食材の名前と賞味期限が対応するので、収納庫内の食材を見ればすぐ賞味期限がわかるという効果がある。
【００３７】
（実施例５）
図５は、本発明の第５の実施例の食材管理装置のブロック図である。
【００３８】
図５において、１０はインターネット接続手段で制御手段５に接続され、１１はインターネットでインターネット接続手段１０に接続されている。実施例１の構成と異なるところはインターネット接続手段１０と、インターネット１１を設けた点である。他は実施例１と同じなので省略する。
【００３９】
以上のように構成された食材管理装置について、以下その動作、作用を説明する。収納庫２内の食材１につけられた電子タグ３に書かれた品名と賞味期限はタグ読み出し手段４により制御手段５に情報が蓄積される。制御手段５はインターネット接続手段１０に、収納庫２内の食材１の品名と賞味期限の情報を送信する。インターネット接続手段１０はインターネット１１にその情報を送信する。インターネットに接続されたパソコンは、この情報を読みとり、収納庫２内の食材１の品名と賞味期限を知る事が出来る。
【００４０】
以上のように、本実施例においては、タグ読み出し手段４で、食材１の電子タグ３の品名と賞味期限を読み出し、インターネット接続手段１０で、インターネット１０にその情報を送信する事により、インターネットに接続されたパソコンや携帯電話等で、収納庫２内の食材１の品名と賞味期限を知る事が出来る。
【００４１】
【発明の効果】
以上のように、本発明によれば、冷蔵庫に入れられた食材の賞味期限を知る事が出来、捨てないので食材の無駄がなくなる。
【図面の簡単な説明】
【図１】本発明の実施例１における食材管理装置のブロック図
【図２】本発明の実施例２における食材管理装置のブロック図
【図３】本発明の実施例３における食材管理装置のブロック図
【図４】本発明の実施例４における食材管理装置のブロック図
【図５】本発明の実施例５における食材管理装置のブロック図
【符号の説明】
１　食材
２　収納庫
３　電子タグ
４　タグ読み出し手段
５　制御手段
６　表示手段
７　記憶手段
８　タグ書き込み手段
【図１】
2004144357.tif 000003
【図２】
2004144357.tif 000004
【図３】
2004144357.tif 000005
【図４】
2004144357.tif 000006
【図５】
2004144357.tif 000007